(57)【要約】      （修正有）【課題】化粧シートに大きい凹凸模様を形成した場合でも、優れた耐摩耗性及び加工適性を併せ持つ化粧シート及び化粧材を提供する。【解決手段】基材シート１上に、少なくとも透明性樹脂層４及び表面保護層６を順に有する化粧シートであって下記の（１）〜（４）を満足する化粧シート及び化粧材。(1)前記化粧シートの表面に、凹凸模様が形成され(2)前記凹凸模様の十点平均粗さRz(JISB0601:1982)が、40μm以上で(3)前記透明性樹脂層の厚さが70μm以上、(4)前記透明性樹脂層のマルテンス硬さが30N/mm2未満。【選択図】図４
2015066791.tif 000002
【特許請求の範囲】
【請求項１】
基材シート上に、少なくとも透明性樹脂層及び表面保護層を順に有する化粧シートであって、
(1)  前記化粧シートの表面に、凹凸模様が形成されており、
(2)  前記凹凸模様の十点平均粗さRz(JIS B 0601:1982)が、40μm以上であり、
(3)  前記透明性樹脂層の厚さが70μm以上であり、
(4)  前記透明性樹脂層のマルテンス硬さが30N/mm2未満である、
ことを特徴とする、化粧シート。
【請求項２】
前記化粧シートの上降伏点荷重が28N以上である、請求項1に記載の化粧シート。
【請求項３】
前記透明性樹脂層を構成する樹脂がオレフィン系樹脂である、請求項1又は2に記載の化粧シート。
【請求項４】
前記表面保護層を構成する樹脂が電離放射線硬化型樹脂である、請求項1〜3のいずれかに記載の化粧シート。
【請求項５】
前記表面保護層の光沢値(60°入射角)が10以下である、請求項1〜4のいずれかに記載の化粧シート。
【請求項６】
前記凹凸模様の凸部の接触面積が70%以下である、請求項1〜5のいずれかに記載の化粧シート。
【請求項７】
被着材上に、請求項1〜6のいずれかに記載の化粧シートが積層された、化粧材。
【発明の詳細な説明】
【技術分野】
【０００１】
本発明は、化粧シート及び化粧材に関する。
【背景技術】
【０００２】
化粧シートとして、意匠性を高める目的で、凹凸模様の大きい（例えば、浮造り調の深いエンボス形状を備える）化粧シートが知られている。この凹凸模様の大きい化粧シートは、化粧シート表面の触感性（凹凸感）に優れている。当該化粧シートは、建具等の垂直面に使用する場合には、特に問題が生じない。
【０００３】
しかしながら、当該化粧シートを床等の水平面に使用する場合には、上述の通り、凹凸模様が大きい（深い）ので、耐摩耗性が劣るという問題がある。例えば、凹凸模様の大きい化粧シートに対して、床用途として使用する際に必要な評価項目とされるJASフローリング摩耗A試験を行うと、化粧シート表面の凸部が局所的に摩耗されるという問題がある。そのため、凹凸模様の大きい化粧シートに絵柄模様層がある場合には、当該絵柄模様層が部分的に消失してしまう。
【０００４】
このような問題に対して、例えば、絵柄模様層の上に層厚の大きい（厚い）透明性樹脂層を形成することが検討されている。しかしながら、この方法では、当該化粧シートの加工適性が損なわれるという問題がある。例えば、層厚の大きい透明性樹脂層を有し、かつ凹凸模様の大きい化粧シートをVカット曲げ加工により玄関の上框用途で使用すると、Vカット曲げの際に折り曲げ部の白化又は割れが生じるという問題がある。一方、当該化粧シートをラッピング加工によりラミネートし、階段用途で使用すると、当該化粧シートが階段を構成する基材から浮き上がるという問題もある。
【０００５】
よって、化粧シートに大きい凹凸模様を形成した場合でも、優れた耐摩耗性及び加工適性を併せ持つ化粧シート及び化粧材の開発が望まれている。
【先行技術文献】
【特許文献】
【０００６】
【特許文献１】特開２００９−２４１４８９
【発明の概要】
【発明が解決しようとする課題】
【０００７】
本発明は、化粧シートに大きい凹凸模様を形成した場合でも、優れた耐摩耗性及び加工適性を併せ持つ化粧シート及び化粧材を提供することを目的とする。
【課題を解決するための手段】
【０００８】
本発明者は、上記目的を達成すべく鋭意研究を重ねた結果、凹凸模様の十点平均粗さRzを40μm以上とした上で、特定の厚さ及び特定の硬さを有する透明性樹脂層を使用し、さらに化粧シートの層構成を特定の構成とする場合には、上記目的を達成できることを見出し、本発明を完成するに至った。
【０００９】
即ち、本発明は、下記の化粧シート及び化粧材に関する。
1.  基材シート上に、少なくとも透明性樹脂層及び表面保護層を順に有する化粧シートであって、
(1)  前記化粧シートの表面に、凹凸模様が形成されており、
(2)  前記凹凸模様の十点平均粗さRz(JIS B 0601:1982)が、40μm以上であり、
(3)  前記透明性樹脂層の厚さが70μm以上であり、
(4)  前記透明性樹脂層のマルテンス硬さが30N/mm2未満である、
ことを特徴とする、化粧シート。
2.  前記化粧シートの上降伏点荷重が28N以上である、上記項1に記載の化粧シート。
3.  前記透明性樹脂層を構成する樹脂がオレフィン系樹脂である、上記項1又は2に記載の化粧シート。
4.  前記表面保護層を構成する樹脂が電離放射線硬化型樹脂である、上記項1〜3のいずれかに記載の化粧シート。
5.  前記表面保護層の光沢値(60°入射角)が10以下である、上記項1〜4のいずれかに記載の化粧シート。
6.  前記凹凸模様の凸部の接触面積が70%以下である、上記項1〜5のいずれかに記載の化粧シート。
7.  被着材上に、上記項1〜6のいずれかに記載の化粧シートが積層された、化粧材。
【００１０】
以下、本発明の化粧シート及び化粧材について説明する。
【００１１】
≪化粧シート≫
本発明の化粧シートは、基材シート上に、少なくとも透明性樹脂層及び表面保護層を順に有する化粧シートであって、
(1)  前記化粧シートの表面に、凹凸模様が形成されており、
(2)  前記凹凸模様の十点平均粗さRz(JIS B 0601:1982)が、40μm以上であり、
(3)  前記透明性樹脂層の厚さが70μm以上であり、
(4)  前記透明性樹脂層のマルテンス硬さが30N/mm2未満である、
ことを特徴とする。
【００１２】
本発明の化粧シートは、凹凸模様の十点平均粗さRzを40μm以上とした上で、特定の厚さ及び特定の硬さを有する透明性樹脂層を使用し、さらに特定の層構成を有する。そのため、化粧シートに大きい凹凸模様（例えば、浮造り調の深いエンボス形状）が形成されている場合でも、耐摩耗性及び加工適性（特に、玄関の上框を用途とした時のVカット加工適性、及び、階段を用途とした時のラッピング加工適性）に優れる。
【００１３】
以下、本発明の化粧シートの各構成について説明する。
【００１４】
本発明の化粧シートは、基材シート上に、透明性樹脂層及び表面保護層が順に積層された上で、上記(1)〜(4)の要件を満たす限り、層構成及び各層を構成する樹脂成分などは特に限定されない。層構成としては、例えば、基材シート上に、着色隠蔽層、絵柄模様層、透明性接着剤層、透明性樹脂層及び表面保護層を積層した層構成が挙げられる。なお、本明細書では、基材シートから見て表面保護層が積層されている方向を「上」又は「おもて面」と称し、基材シートから見て後述する被着材が積層されている方向を「下」又は「裏面」と称する。
【００１５】
以下、基材シート上に、着色隠蔽層、絵柄模様層、透明性接着剤層、透明性樹脂層、及び表面保護層が積層された化粧シートについて、例示的に説明する。
【００１６】
基材シート
本発明の化粧シートは、基材シートを有する。
【００１７】
基材シートとしては、例えば、熱可塑性樹脂により形成されたシート（フィルム）が好適である。具体的には、ポリ塩化ビニル、ポリエチレンテレフタレート(PET)、ポリブチレンテレフタレート(PBT)、ポリアミド、ポリエチレン、ポリプロピレン、ポリカーボネート、ポリエチレンナフタレート、エチレン−酢酸ビニル共重合体、エチレン−アクリル酸共重合体、エチレン−アクリル酸エステル共重合体、アイオノマー、ポリアクリル酸エステル、ポリメタアクリル酸エステル等が挙げられる。前記基材シートは、これら樹脂を単独で又は2種以上を組み合わせ用いることにより形成される。なお、基材シートは、1層（単層）であってもよく、また2層以上の複層の積層体であってもよい。
【００１８】
基材シートは、着色されていてもよい。この場合は、上記のような熱可塑性樹脂に対して着色材（顔料又は染料）を添加して着色することができる。着色材としては、例えば、二酸化チタン、カーボンブラック、酸化鉄等の無機顔料、フタロシアニンブルー等の有機顔料のほか、各種の染料も使用することができる。これらは、公知又は市販のものから1種又は2種以上を選ぶことができる。また、着色材の添加量も、所望の色合い等に応じて適宜設定すれば良い。
【００１９】
基材シートには、必要に応じて、充填剤、艶消し剤、発泡剤、難燃剤、滑剤、帯電防止剤、酸化防止剤、紫外線吸収剤、光安定化剤等の各種の添加剤が含まれていてもよい。
【００２０】
基材シートの厚みは、最終製品の用途、使用方法等により適宜設定できるが、一般には20〜300μmが好ましい。
【００２１】
基材シートは、必要に応じて、絵柄模様層を形成するインキの密着性を高めるために表面（おもて面）にコロナ放電処理を施してもよい。コロナ放電処理の方法・条件は、公知の方法に従って実施すれば良い。また、必要に応じて、基材シートの裏面にコロナ放電処理を施したり、後述する裏面プライマー層を形成したりしてもよい。
【００２２】
裏面プライマー層
基材シートの裏面（透明性樹脂層及び表面保護層が積層される面と反対側の面）には、必要に応じて、裏面プライマー層を設けてもよい。例えば、基材シートと被着材とを接着して化粧材を作製する際に効果的である。
【００２３】
裏面プライマー層は、公知のプライマー剤を基材シートの片面又は両面に塗布することにより形成できる。プライマー剤としては、例えば、アクリル変性ウレタン樹脂（アクリルウレタン系樹脂）等からなるウレタン樹脂系プライマー剤、ウレタン−セルロース系樹脂（例えば、ウレタンと硝化綿の混合物にヘキサメチレンジイソシアネートを添加してなる樹脂）からなるプライマー剤、アクリルとウレタンのブロック共重合体からなる樹脂系プライマー剤等が挙げられる。プライマー剤には、必要に応じて、添加剤を配合してもよい。添加剤としては、例えば、炭酸カルシウム、クレー等の充填剤；水酸化マグネシウム等の難燃剤；酸化防止剤；滑剤；発泡剤；紫外線吸収剤；光安定剤；などが挙げられる。添加剤の配合量は、製品特性に応じて適宜設定できる。
【００２４】
裏面プライマーの厚みは特に限定されないが、通常0.01〜10μm、好ましくは0.1〜5μm程度である。
【００２５】
絵柄模様層
本発明の化粧シートは、所望により、基材シート上に絵柄模様層を有していてもよい。絵柄模様層は、化粧シートに所望の絵柄（意匠）を付与するものであり、絵柄の種類等は限定的ではない。例えば、木目模様、レザー模様、石目模様、砂目模様、タイル貼模様、煉瓦積模様、布目模様、幾何学図形、文字、記号、抽象模様等が挙げられる。
【００２６】
絵柄模様層の形成方法は特に限定されず、例えば、公知の着色剤（染料又は顔料）を結着材樹脂とともに溶剤（又は分散媒）中に溶解（又は分散）して得られるインキを用いた印刷法により、基材シート表面に形成すればよい。インキとしては、化粧シートのVOCを低減する観点からは水性組成物を用いることもできる。
【００２７】
着色剤としては、例えば、カーボンブラック、チタン白、亜鉛華、弁柄、紺青、カドミウムレッド等の無機顔料；アゾ顔料、レーキ顔料、アントラキノン顔料、キナクリドン顔料、フタロシアニン顔料、イソインドリノン顔料、ジオキサジン顔料等の有機顔料；アルミニウム粉、ブロンズ粉等の金属粉顔料；酸化チタン被覆雲母、酸化塩化ビスマス等の真珠光沢顔料；蛍光顔料；夜光顔料等が挙げられる。これらの着色剤は、単独又は２種以上を混合して使用できる。これらの着色剤は、シリカ等のフィラー、有機ビーズ等の体質顔料、中和剤、界面活性剤等とともに用いてもよい。
【００２８】
結着材樹脂としては、親水性処理されたポリエステル系ウレタン樹脂のほか、ポリエステル、ポリアクリレート、ポリビニルアセテート、ポリブタジエン、ポリ塩化ビニル、塩素化ポリプロピレン、ポリエチレン、ポリスチレン、ポリスチレン−アクリレート共重合体、ロジン誘導体、スチレン−無水マレイン酸共重合体のアルコール付加物、セルロース系樹脂なども併用できる。より具体的には、例えば、ポリアクリルアミド系樹脂、ポリ（メタ）アクリル酸系樹脂、ポリエチレンオキシド系樹脂、ポリＮ−ビニルピロリドン系樹脂、水溶性ポリエステル系樹脂、水溶性ポリアミド系樹脂、水溶性アミノ系樹脂、水溶性フェノール系樹脂、その他の水溶性合成樹脂；ポリヌクレオチド、ポリペプチド、多糖類等の水溶性天然高分子；等も使用することができる。また、例えば、天然ゴム、合成ゴム、ポリ酢酸ビニル系樹脂、（メタ）アクリル系樹脂、ポリ塩化ビニル系樹脂、ポリウレタン−ポリアクリル系樹脂等が変性したものないし前記天然ゴム等の混合物、その他の樹脂を使用することもできる。上記結着材樹脂は、単独又は2種以上を組み合わせて用いることができる。
【００２９】
溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−2−メトキシエチル、酢酸−2−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤；ジクロロメタン、四塩化炭素、トリクロロエチレン、テトラクロロエチレン等の塩素系有機溶剤；水等の無機溶剤等が挙げられる。これらの溶剤（又は分散媒）は、1種単独又は2種以上を混合して使用できる。
【００３０】
絵柄模様層の形成に用いる印刷法としては、例えば、グラビア印刷法、オフセット印刷法、スクリーン印刷法、フレキソ印刷法、静電印刷法、インクジェット印刷法等が挙げられる。また、全面ベタ状の絵柄模様層を形成する場合には、例えば、ロールコート法、ナイフコート法、エアーナイフコート法、ダイコート法、リップコート法、コンマコート法、キスコート法、フローコート法、ディップコート法等の各種コーティング法が挙げられる。その他、手描き法、墨流し法、写真法、転写法、レーザービーム描画法、電子ビーム描画法、金属等の部分蒸着法、エッチング法等を用いたり、他の形成方法と組み合わせて用いたりしてもよい。
【００３１】
絵柄模様層の厚みは特に限定されず、製品特性に応じて適宜設定できるが、塗工時の層厚は1〜15μm程度、乾燥後の層厚は0.1〜10μm程度である。
【００３２】
着色隠蔽層
基材シートと絵柄模様層との間には、必要に応じて、更に着色隠蔽層を形成してもよい。着色隠蔽層は、化粧シートのおもて面から木質板等の被着材の地色を隠蔽したい場合に設けられる。基材シートが透明性である場合は勿論、基材シートが隠蔽着色されている場合でも、隠蔽性を安定化するために形成してもよい。
【００３３】
着色隠蔽層を形成するインクとしては、絵柄模様層を形成するインクであって隠蔽着色が可能なものが使用できる。
【００３４】
着色隠蔽層の形成方法は、基材シート全体を被覆（全面ベタ状）するように形成できる方法が好ましい。例えば、前記したロールコート法、ナイフコート法、エアーナイフコート法、ダイコート法、リップコート法、コンマコート法、キスコート法、フローコート法、ディップコート法等が好ましいものとして挙げられる。
【００３５】
着色隠蔽層の厚さは特に限定されず、製品特性に応じて適宜設定できるが、塗工時の塗布量は2〜30g/m2が好ましく、乾燥後の厚さは通常0.1〜20μm程度、好ましくは1〜10μm程度である。
【００３６】
透明性接着剤層
透明性樹脂層と絵柄模様層との密着性を高めるため、絵柄模様層上に透明性接着剤層を形成してもよい。透明性接着剤層は、透明性のものであれば特に限定されず、無色透明、着色透明、半透明等のいずれも含む。
【００３７】
接着剤としては特に限定されず、化粧シートの分野で公知の接着剤が使用できる。化粧シートの分野で公知の接着剤としては、例えば、ポリアミド樹脂、アクリル樹脂、酢酸ビニル樹脂等の熱可塑性樹脂、ウレタン系樹脂等の熱硬化性樹脂等が挙げられる。これら接着剤は1種単独で又は2種以上を組み合わせて用いることができる。また、イソシアネートを硬化剤とする二液硬化型ポリウレタン樹脂又はポリエステル樹脂も適用し得る。
【００３８】
透明性接着剤層は、例えば、接着剤を絵柄模様層の上に塗布後、一度乾燥し、それから、透明性樹脂層を積層することにより形成できる。接着剤の塗布方法は特に限定されず、例えば、ロールコート、カーテンフローコート、ワイヤーバーコート、リバースコート、グラビアコート、グラビアリバースコート、エアーナイフコート、キスコート、ブレードコート、スムースコート、コンマコート等の方法が採用できる。
【００３９】
透明性接着剤層の厚みは特に限定されないが、乾燥後の厚みが0.1〜30μm程度、好ましくは1〜20μm程度である。
【００４０】
透明性樹脂層
本発明の化粧シートは、基材シート上に透明性樹脂層を有する。
【００４１】
透明性樹脂層は、透明性のものであれば特に限定されず、無色透明、着色透明、半透明等のいずれも含む。前記透明性樹脂層を構成する樹脂としては、例えば、ポリ塩化ビニル、ポリエチレンテレフタレート、ポリブチレンテレフタレート、ポリアミド、ポリエチレン(PE)、ポリプロピレン(PP)、エチレン−酢酸ビニル共重合体、エチレン−アクリル酸共重合体、エチレン−アクリル酸エステル共重合体、アイオノマー、ポリメチルペンテン、ポリアクリル酸エステル、ポリメタアクリル酸エステル、ポリカーボネート、セルローストリアセテート、オレフィン系エラストマー等が挙げられる。上記樹脂は、単独で又は2種以上を組み合わせて使用することができる。また、これらの樹脂を主成分とする共重合体も使用できる。
【００４２】
上記の中でも、ポリエチレン、ポリプロピレン、エチレン−酢酸ビニル共重合体、オレフィン系エラストマー等のオレフィン系樹脂が好ましい。なお、オレフィン系樹脂は、オレフィンの重合体、オレフィンと他のモノマーとの共重合体のいずれも包含する。オレフィン系樹脂としてポリオレフィン系樹脂を用いる場合は、溶融ポリオレフィン系樹脂を押し出し法により透明性樹脂層を形成することが望ましい。
【００４３】
オレフィン系樹脂としてポリオレフィン系樹脂を使用する場合、単独重合体又は共重合体のいずれも使用することができる。例えばポリプロピレン系樹脂であれば、ホモポリプロピレン樹脂、ランダムポリプロピレン樹脂、ブロックポリプロピレン樹脂等が挙げられる。ポリオレフィン系樹脂は市販品（例えばポリプロピレン系樹脂であれば、プライムポリマー株式会社製（プライムTPO「J-5900」、プライムポリプロ「F219DA」）等）を使用することができる。
【００４４】
透明性樹脂層の形成方法は特に限定されず、例えば、上述の透明性接着剤層の上に押出しラミネート方式により透明性樹脂層を積層することができる。
【００４５】
透明性樹脂層には、必要に応じて、充填剤、艶消し剤、発泡剤、難燃剤、滑剤、帯電防止剤、酸化防止剤、紫外線吸収剤、光安定化剤、ラジカル捕捉剤、軟質成分（例えばゴム）等の各種の添加剤が含まれていても良い。
【００４６】
透明性樹脂層の厚さ(層厚)は、70μm以上である。透明性樹脂層の厚さが当該範囲内であることにより、床用途に求められる耐摩耗性（具体的には、JASフローリング摩耗A試験で規定された耐摩耗性）を確保することができる。透明性樹脂層の厚さの好ましい範囲は、80〜140μmである。
【００４７】
透明性樹脂層のマルテンス硬さは30N/mm2未満である。透明性樹脂層のマルテンス硬さが当該範囲内であることにより、透明性樹脂層の厚さが70μm以上であっても、化粧シートとしての加工適性に優れる。透明性樹脂層のマルテンス硬さの好ましい範囲は、10〜28N/mm2である。
【００４８】
本明細書における透明性樹脂層のマルテンス硬さは、表面皮膜物性試験機（PICODENTOR  HM-500、株式会社フィッシャー・インストルメンツ製）を用いて測定される値であり、具体的な測定方法は次の通りである。
【００４９】
この測定方法では、図1(a)に示されるダイヤモンド圧子（ビッカーズ圧子）を用いて、図1(b)に示すように測定試料にダイヤモンド圧子を押し込み、表面にできたピラミッド形のくぼみの対角線の長さからその表面積A(mm2)を計算し、試験荷重F(N)を割ることにより硬さを求める。押し込み条件は、室温（実験室環境温度）において、図1(c)に示される通り、先ず0〜5mNまでの負荷を10秒間で加え、次に5mNの負荷で5秒間保持し、最後に5〜0mNまでの除荷を10秒間で行う。そして、表面積A、試験荷重Fに基づきF／A(=F÷A)により求められる硬度が、前記マルテンス硬さ(N/mm2)である。
【００５０】
なお、本明細書では、当該層以外の層の硬さの影響を回避するために透明性樹脂層の断面のマルテンス硬さを測定した。これに際し、化粧シートを樹脂（冷間硬化タイプのエポキシ２液硬化樹脂）で包埋し、室温で２４時間以上放置して硬化させた後、硬化した埋包サンプルを機械研磨して透明性樹脂層の断面を露出させ、透明性樹脂層の断面に（充填材等の微粒子が層中に含まれる場合には当該微粒子を避けた位置に）ダイヤモンド圧子を押し込むことにより透明性樹脂層の断面のマルテンス硬さを測定した。
【００５１】
本明細書では、透明性樹脂層のマルテンス硬さを上述の方法により任意の3点で行うことによって、3つのマルテンス硬さの測定値を得て、当該3つのマルテンス硬さの最高値及び最低値をそれぞれ上限値及び下限値としたマルテンス硬さ範囲を決定する。このマルテンス硬さ範囲が30 N/mm2未満であれば、本発明における上記(4)の要件を満たす、としている。
【００５２】
透明性樹脂層のマルテンス硬さは、樹脂成分の種類を適宜選定する、樹脂成分の含有量を適宜設定する、等によって適宜調整することができる。例えば、透明性樹脂層を構成する樹脂の主成分としてランダムポリプロピレン（以下、ランダムPPともいう）を使用する場合、ランダムPPに加えて、オレフィン系エラストマーを所定の割合で配合することによって、透明性樹脂層のマルテンス硬さを調整することができる。また、透明性樹脂層を押出し成形で製膜及び積層する場合、アニーリング（徐冷）、急冷など熱履歴を制御することにより、透明性樹脂層のマルテンス硬さを制御することも可能である。
【００５３】
透明性樹脂層は、必要に応じて、上層の表面保護層又はプライマー層との密着性を高めるために、おもて面にコロナ放電処理を施してもよい。
【００５４】
プライマー層
透明性樹脂層の上には、プライマー層を設けてもよい。プライマー層は、公知のプライマー剤を透明性樹脂層の表面に塗布することにより形成できる。プライマー剤としては、例えば、アクリル変性ウレタン樹脂（アクリルウレタン系樹脂）等からなるウレタン樹脂系プライマー剤、ウレタン−セルロース系樹脂（例えば、ウレタンと硝化綿の混合物にヘキサメチレンジイソシアネートを添加してなる樹脂）からなるプライマー剤、アクリルとウレタンのブロック共重合体からなる樹脂系プライマー剤等が挙げられる。プライマー剤には、必要に応じて、添加剤を配合してもよい。添加剤としては、例えば、炭酸カルシウム、クレー等の充填剤、水酸化マグネシウム等の難燃剤、酸化防止剤、滑剤、発泡剤、紫外線吸収剤、光安定剤などが挙げられる。添加剤の配合量は、製品特性に応じて適宜設定
できる。
【００５５】
プライマーの厚みは特に限定されないが、通常0.01〜10μm、好ましくは0.1〜5μm程度である。
【００５６】
表面保護層
本発明の化粧シートは、透明性樹脂層上に表面保護層が形成されている。上記表面保護層は限定的ではないが、表面保護層を構成する樹脂成分として電離放射線硬化型樹脂又は２液硬化型ウレタン系樹脂を含有することが好ましく、電離放射線硬化型樹脂を含有することがより好ましい。実質的には、これらの樹脂から形成されているものが好ましい。電離放射線硬化型樹脂又は2液硬化型ウレタン系樹脂により表面保護層を形成する場合には、化粧シートの耐摩耗性、耐衝撃性、耐汚染性、耐擦傷性、耐候性等を高め易い。
【００５７】
電離放射線硬化型樹脂としては特に限定されず、紫外線、電子線等の電離放射線の照射により重合架橋反応可能なラジカル重合性二重結合を分子中に含むプレポリマー（オリゴマーを含む）及び／又はモノマーを主成分とする透明性樹脂が使用できる。これらのプレポリマー又はモノマーは、単体又は複数を混合して使用できる。硬化反応は、通常、架橋
硬化反応である。
【００５８】
具体的には、前記プレポリマー又はモノマーとしては、分子中に（メタ）アクリロイル基、（メタ）アクリロイルオキシ基等のラジカル重合性不飽和基、エポキシ基等のカチオン重合性官能基等を有する化合物が挙げられる。また、ポリエンとポリチオールとの組み合わせによるポリエン／チオール系のプレポリマーも好ましい。ここで、（メタ）アクリロイル基とは、アクリロイル基又はメタクリロイル基の意味である。
【００５９】
ラジカル重合性不飽和基を有するプレポリマーとしては、例えば、ポリエステル（メタ）アクリレート、ウレタン（メタ）アクリレート、エポキシ（メタ）アクリレート、メラミン（メタ）アクリレート、トリアジン（メタ）アクリレート、シリコーン（メタ）アクリレート等が挙げられる。これらの分子量としては、通常250〜100000程度が好ましい。
【００６０】
ラジカル重合性不飽和基を有するモノマーとしては、例えば、単官能モノマーとして、メチル（メタ）アクリレート、2−エチルヘキシル（メタ）アクリレート、フェノキシエチル（メタ）アクリレート等が挙げられる。また、多官能モノマーとしては、例えば、ジエチレングリコールジ（メタ）アクリレート、プロピレングリコールジ（メタ）アクリレート、トリメチロールプロパントリ（メタ）アクリレート、トリメチロールプロパンエチレンオキサイドトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等が挙げられる。
【００６１】
カチオン重合性官能基を有するプレポリマーとしては、例えば、ビスフェノール型エポキシ樹脂、ノボラック型エポキシ化合物等のエポキシ系樹脂、脂肪酸系ビニルエーテル、芳香族系ビニルエーテル等のビニルエーテル系樹脂のプレポリマーが挙げられる。また、チオールとしては、例えば、トリメチロールプロパントリチオグリコレート、ペンタエリスリトールテトラチオグリコレート等のポリチオールが挙げられる。ポリエンとしては、例えば、ジオール及びジイソシアネートによるポリウレタンの両端にアリルアルコールを付加したものが挙げられる。
【００６２】
電離放射線硬化型樹脂を硬化させるために用いる電離放射線としては、電離放射線硬化型樹脂（組成物）中の分子を硬化反応させ得るエネルギーを有する電磁波又は荷電粒子が用いられる。通常は紫外線又は電子線を用いればよいが、可視光線、Ｘ線、イオン線等を用いてもよい。
【００６３】
紫外線源としては、例えば、超高圧水銀灯、高圧水銀灯、低圧水銀灯、カーボンアーク
灯、ブラックライト、メタルハライドランプ等の光源が使用できる。紫外線の波長として
は、通常190〜380nmが好ましい。
【００６４】
電子線源としては、例えば、コッククロフトワルトン型、バンデグラフト型、共振変圧
器型、絶縁コア変圧器型、又は直線型、ダイナミトロン型、高周波型等の各種電子線加速
器が使用できる。その中でも、特に100〜1000keV、好ましくは100〜300keVのエネルギーをもつ電子を照射できるものが好ましい。電子線の照射量は、2〜15Mrad程度が好ましい。
【００６５】
2液硬化型ウレタン系樹脂としては特に限定されないが、中でも主剤としてOH基を有するポリオール成分（アクリルポリオール、ポリエステルポリオール、ポリエーテルポリオール、エポキシポリオール等）と、硬化剤成分であるイソシアネート成分（トリレンジイソシアネート、ヘキサメチレンジイソシアネート、メタキシレンジイソシアネート等）とを含むものが使用できる。
【００６６】
上記例示の樹脂については1種又は2種以上を併用して用いることができる。
【００６７】
また、表面保護層には、耐候性を向上させるために、ベンゾトリアゾール系、ベンゾフェノン系、サリシレート系、トリアジン系などの紫外線吸収剤を添加するのが好ましい。紫外線を照射して樹脂層を硬化させる場合には、光重合開始剤として、アセトフェノン類、ベンゾフェノン類、ミヒラーベンゾイルベンゾエート、α−アミノキシムエステル、テトラメチルチウラムモノサルファイド、チオキサントン類、芳香族ジアゾニウム塩、芳香族スルホニウム塩、メタロセン等、光重合促進剤（増感剤）としてn−ブチルアミン、トリエチルアミン、トリ−n−ブチルホスフィン等を用いる。
【００６８】
また表面保護層には、抗菌性を付与する為に、抗菌剤を添加してもよい。抗菌剤としては、無機系抗菌剤、及び有機系抗菌剤がある。特に無機系抗菌剤は有機系抗菌剤に比べ一般に安全性が高く、耐久性、及び耐熱性にも優れているため望ましい。無機系抗菌剤とは、銀をはじめとする銅、亜鉛等の抗菌性金属を各種の無機物担体に担持したものである。抗菌剤の添加量は樹脂成分100重量部に対して0.1〜10重量部が好ましい。
【００６９】
また表面保護層には、必要に応じて、光安定剤、溶剤、染料、顔料等の着色剤、艶調整剤、増量剤等の充填剤、消泡剤、レベリング剤、チクソトロピー性付与剤等の各種添加剤を加えることができる。
【００７０】
艶調整剤としては、特に限定されず、公知又は市販のものを使用することができる。例えば、シリカ、シリコーン樹脂等の無機粒子；架橋アルキル、架橋スチレン、インゾグアナミン樹脂、尿素−ホルムアルデヒド樹脂、フェノール樹脂、ポリエチレン、ナイロン等の有機物粒子等が挙げられる。
【００７１】
表面保護層は、例えば、透明性樹脂層上に電離放射線硬化型樹脂又は2液硬化型ウレタン系樹脂をグラビアコート、ロールコート等の公知の塗工法により塗工後、樹脂を硬化させることにより形成できる。
【００７２】
本発明の化粧シートの表面保護層の厚さは特に限定されず、最終製品の特性に応じて適宜設定できるが、通常0.1〜50μm、好ましくは1〜30μm程度である。
【００７３】
表面保護層は、光沢値（入射角60°）が10以下であることが好ましく、2〜7がより好ましい。表面保護層の光沢値が上記範囲内であることによって、視覚的に、より本物のような意匠性の高い化粧シートとすることができる。例えば、エンボス加工による凹凸模様が後述する浮造り模様の場合、表面保護層の光沢値が上記範囲内であることによって、より本物の木のような優れた意匠性が得られる。
【００７４】
本明細書における表面保護層の光沢値は、JIS Z8741に準拠して測定された値である。具体的には、本明細書では、グロス計として(株)村上色彩技術研究所製  GMX−202を用いて、入射角=60°の条件で表面保護層のグロス値を測定している。なお、光沢値を、グロス値ともいう。
【００７５】
表面保護層の光沢値は、例えば、表面保護層を形成するための樹脂組成物中における樹脂成分、艶調整剤等の各物質の種類を選定する方法；上記各物質の含有量を適宜設定する方法；などによって、調整することができる。
【００７６】
エンボス加工
本発明の化粧シートは、化粧シートの表面（最表面）に、凹凸模様が形成されている。当該凹凸模様は、エンボス加工によって好適に施される。
【００７７】
凹凸模様は、上記透明性樹脂層を形成した後、透明性樹脂層側からエンボス加工が施されていてもよい(後述する化粧シートの製造方法2)。また、上記透明性樹脂層の上に上記表面保護層を積層した後、表面保護層側からエンボス加工が施されていてもよい(後述する化粧シートの製造方法1)。
【００７８】
エンボス加工方法は特に限定されず、例えば、透明性樹脂層又は表面保護層のおもて面
を加熱軟化させてエンボス版により加圧・賦形後、冷却する方法が好ましい方法として挙
げられる。エンボス加工には、公知の枚葉式又は輪転式のエンボス機が用いられる。凹凸
形状としては、例えば、浮造り模様（浮出した年輪の凹凸模様）、木目導管溝、石板表面凹凸（花崗岩劈開面等）、布表面テクスチャア、梨地、砂目、ヘアライン、万線条溝等がある。
【００７９】
化粧シートの各物性
＜十点平均粗さRz＞
本発明の化粧シートの表面に形成されている凹凸模様は、十点平均粗さRz(JIS B 0601:1982)が40μm以上である。十点平均粗さRzが上記範囲内であることにより、本発明の化粧シートは、触感性（凹凸感）に優れる。上記十点平均粗さRzは、60〜120μmが好ましい。
【００８０】
本明細書において、十点平均粗さRz(μm)は、JIS B 0601:1982に準拠して測定された値である。具体的には、十点平均粗さRzは、断面曲線から、その平均線の方向に基準長さLだけ抜き取り、この抜き取り部分の平均線から、最も高い山頂から5番目までの山頂の標高(Yp)の絶対値の平均値と、最も低い谷底から5番目までの谷底の標高(Yv)の絶対値の平均値との和である。
【００８１】
本明細書における化粧シートの十点平均粗さRzは、以下の(i)〜(iii)のように決定されたものである。
(i)  まず、化粧シートを15cm×15cmに切り出す。
(ii)  当該切り出された化粧シートの表面粗さを、表面粗さ形状測定機：サーフコム１２０Ａ（（株）東京精密）にて測定する。上記化粧シートの表面粗さ測定は、測定距離2.5cm分の表面粗さを、凹凸模様が木目等の場合は木目と直角になる方向で、凹凸模様が木目等以外は任意の方向で測定する。
(iii)  上記(ii)の工程を、任意の3点で行うことで3つのRz値を得て、当該3つのRzの最高値及び最低値をそれぞれ上限値及び下限値としたRz範囲を決定する。
このRz範囲が40(μm)以上であれば、本発明における上記(2)の要件を満たす、としている。
【００８２】
十点平均粗さRzは、エンボス版の深さや形状等の選定、エンボス加工を施す最表面層（表面保護層又は透明性樹脂層）の選定、エンボス加工する際の加熱温度や加圧するときの圧力の設定、透明性樹脂層又は表面保護層を構成する樹脂成分の選定や厚さの設定、などによって調整することができる。
【００８３】
＜接触面積＞
本発明の化粧シートは、凹凸模様の凸部の接触面積が70%以下であることが好ましく、20〜50%がより好ましい。前記接触面積が上記範囲内であることにより、手または足で触れた際、凹凸模様をより感じることができる。なお、一般的には、上述のエンボス加工によって化粧シートに凹部が形成され、当該凹部が形成されていない箇所（部位）が凹凸模様の凸部である。
【００８４】
本明細書における化粧シートの凹凸模様の凸部の接触面積は、以下の方法で算出されたものである。5cm×5cm角の化粧シートにプレスケール（富士フイルム株式会社製）を載せ、平滑な鋼板で挟んだ後、5kg/cm2の圧力で5分放置し、プレスケールが接触した部分を発色させる。前記接触面積は、当該発色した部分の面積をデジタルマイクロスコープ（(株）キーエンス  製)の面積計測機能を用いて計算することにより得られる。
【００８５】
前記接触面積は、エンボス版の深さや形状等の選定、エンボス加工を施す最表面層（表面保護層又は透明性樹脂層）の選定、エンボス加工する際の加熱温度や加圧するときの圧力の設定、透明性樹脂層又は表面保護層を構成する樹脂成分の選定や厚さの設定、などによって調整することができる。
【００８６】
＜上降伏点荷重＞
本発明の化粧シートは、上降伏点荷重が28N以上であることが好ましく、28〜40Nがより好ましい。前記上降伏点荷重が上記範囲内であることによって、化粧シートはさらに加工適性に優れる。特に、ラッピング加工により化粧シートを階段に加工する際、化粧シートが伸びたり、切れたりすることなく良好に加工を行うことができる。
【００８７】
本明細書における化粧シートの上降伏点荷重(N)は、JIS K 7161(1994)に準拠して測定された引張降伏応力(MPa)と、当該測定で使用した試験片の初めの断面積(mm2)との積（掛け算）で定義される。引張降伏応力はJIS K 7161(1994)で規定されている物性であって、応力の増加を伴わずにひずみの増加する最初の応力である（但し、最大応力より小さい場合もある）。上降伏点荷重とは、試験片が降伏したときの荷重（図2(a)のbの時の荷重）である。
【００８８】
本明細書における化粧シートの上降伏点荷重は、具体的には、JIS K 6732(1996)の試験方法に倣ってダンベル形試験片状（図3参照）に打ち抜いた化粧シートを用意し、25℃の温度環境下、引張圧縮試験機（オリエンテック株式会社製：テンシロンRTC-1250A）を用い、引張速度50mm/min、チャック間距離80mmの条件で測定して得られた値である。なお、当該引張速度及びチャック間距離は、JIS K 7127(1999)の規定に基づく。
【００８９】
前記上降伏点荷重は、化粧シートの試験片の縦方向に対して（主縦軸に沿って）引張試験を行うことで得られた値である。ここで、縦方向とは、例えば化粧シートの凹凸模様が木目導管溝柄である場合、当該柄と平行となる方向を意味する。また、化粧シートが原反としてロールで巻かれている場合、当該原反をロールから引き出す方向（流れ方向）が縦方向である。
【００９０】
上降伏点荷重は、各層を構成する樹脂の硬さや各層の厚みの設定等によって調整することができる。
【００９１】
≪化粧シートの製造方法1≫
本発明の化粧シートは、
(i)  基材シート上に、少なくとも透明性樹脂層及び表面保護層を順に有する積層体であって、
前記透明性樹脂層の厚さが70μm以上であり、
前記透明性樹脂層のマルテンス硬さが30N/mm2未満である、
積層体を得る工程1、及び
(ii)  前記積層体の前記表面保護層の上からエンボス加工を施すことにより、十点平均粗さRz(JIS B 0601:1982)が40μm以上である凹凸模様を形成する工程2、
を順に含む製造方法により得られる。ここで、前記積層体とは、エンボス加工による凹凸模様（エンボス模様）が賦型されていない以外は、本発明の化粧シートと同様である。各工程の説明については、上述の化粧シートにおける説明と同様である。
【００９２】
≪化粧シートの製造方法2≫
本発明の化粧シートは、
(i)  基材シート上に、少なくとも透明性樹脂層を有する積層体であって、
前記透明性樹脂層の厚さが70μm以上であり、
前記透明性樹脂層のマルテンス硬さが30N/mm2未満である、
積層体を得る工程1、
(ii)  前記積層体の前記透明性樹脂層の上からエンボス加工を施すことにより、前記積層体に凹凸模様を形成する工程2、及び
(iii)  前記透明性樹脂層上に表面保護層を形成する樹脂組成物を塗工することにより、表面保護層を形成するとともに、前記積層体上に形成された表面保護層の表面に形成されている前記凹凸模様の十点平均粗さRz(JIS B 0601:1982)を40μm以上とする工程3、
を順に含む製造方法によっても得られる。各工程の説明については、上述の化粧シートにおける説明と同様である。
【００９３】
≪化粧材≫
本発明の化粧シートを被着材上に積層することにより、化粧材とすることができる。被着材は、限定的でなく、公知の化粧材に用いられる被着材と同様のものを用いることができる。例えば、木質材、金属、セラミックス、プラスチックス、ガラス等が挙げられる。特に、本発明の化粧シートは、木質材に好適に使用することができる。木質材としては、具体的には、杉、檜、欅、松、ラワン、チーク、メラピー等の各種素材から作られた突板、木材単板、木材合板、パーティクルボード、中密度繊維板（MDF）等が挙げられる。
【００９４】
積層方法は限定的でなく、例えば接着剤により化粧シートを被着材に貼着する方法等を採用することができる。接着剤は、被着材の種類等に応じて公知の接着剤から適宜選択すればよい。例えば、ポリ酢酸ビニル、ポリ塩化ビニル、塩化ビニル・酢酸ビニル共重合体、エチレン−アクリル酸共重合体、アイオノマー等のほか、ブタジエン−アクリルニトリルゴム、ネオプレンゴム、天然ゴム等が挙げられる。これら接着剤は、単独で又は2種以上を組み合わせて用いる。
【００９５】
このようにして製造された化粧材は、例えば、床、玄関の上框、階段等の内装材に用いることができる。
【発明の効果】
【００９６】
本発明の化粧シートは、凹凸模様の十点平均粗さRzを40μm以上とした上で、特定の厚さ及び特定の硬さを有する透明性樹脂層を使用し、さらに特定の層構成を有する。そのため、化粧シートに大きい凹凸模様が形成されている場合でも、耐摩耗性及び加工適性に優れる。
【図面の簡単な説明】
【００９７】
【図１】本明細書におけるマルテンス硬さの測定に用いるダイヤモンド圧子(a)、押し込み操作の模式図(b)及び押し込み荷重と変位の一例(c)を示す図である。
【図２】引張圧縮試験機を用いて試験を行った場合の荷重−伸び（ひずみ）曲線の例を示す図である。
【図３】JIS K 6732(1996)の試験方法に倣ったダンベル形試験片の模式図である。
【図４】本発明の化粧シートの一態様を示す模式図である。
【発明を実施するための形態】
【００９８】
以下に実施例及び比較例を示して本発明を具体的に説明する。但し、本発明は実施例に限定されない。
【００９９】
実施例1
80μm厚さの着色ポリエチレン(PE)フィルムからなる基材シートの裏面にプライマー層を設けた。次いで、基材シートのおもて面に絵柄模様層を印刷により形成し、さらに当該絵柄模様層上に接着剤層を形成した。当該層の上に80μm厚さの透明ポリプロピレン(PP)系樹脂（ (i)ランダムPP(結晶化温度100℃)70質量部、及び(ii)オレフィン系エラストマー(結晶化温度90℃)30質量部  の樹脂 ）のシートを押出しラミネート方式で積層し、透明性樹脂層を形成した。当該透明性樹脂層の表面にコロナ放電処理を施した後、前記透明性樹脂層の上に、2液硬化型ウレタン樹脂を塗工することにより、プライマー層を形成した。
【０１００】
プライマー層のおもて面に、ウレタンアクリレート系電子線硬化型樹脂(EB樹脂)を、硬化後の厚さ（層厚）が15μmとなるようにグラビアコート方式で塗工した後、次いで酸素濃度200ppm以下の環境下、電子線照射装置を用いて加速電圧175KeV、5Mradの条件で電子線を照射して前記電子線硬化型樹脂を硬化させることで表面保護層を形成した。さらに、表面保護層側を赤外線非接触方式のヒーターで加熱することにより基材シート及び透明性樹脂層を柔らかくした後、直ちに熱圧によるエンボス加工を行うことで木目模様の凹凸模様（木目1）を形成した。これにより、化粧シートを作製した。
【０１０１】
なお、実施例1の化粧シートにおける凹凸模様の任意の3点の十点平均粗さRz（測定距離：2.5cm）を測定したところ、Rz=42〜47μm(42μm、44μm、47μm)であった。また、実施例1の化粧シートにおける透明性樹脂層の断面方向の任意の3点のマルテンス硬さを測定したところ、21〜23N/mm2(21N/mm2、22N/mm2、23N/mm2)であった。また、実施例1の化粧シートにおける凹凸模様の凸部の接触面積(%)を測定したところ、65%であった。
【０１０２】
実施例2〜6及び比較例1〜6
(a)エンボスによる凹凸模様、(b)透明性樹脂層のマルテンス硬さ、(c)透明性樹脂層の厚さ等を適宜変更する以外は、実施例1と同様にして、実施例2〜6及び比較例1〜6の化粧シートを作製した。上記各化粧シートにおける上記(a)〜(c)、十点平均粗さRz、凹凸模様の凸部の接触面積、透明性樹脂層の樹脂成分、表面保護層の厚さ等は、それぞれ以下の表1及び表2に記載された通りである。
【０１０３】
上記(a)エンボスによる凹凸模様の変更は、エンボス版を変更することによって行っている。エンボス版として、木目1、木目2、木目3及び木目4の4種類のエンボス版を用意している。エンボス加工によって得られる化粧シートの十点平均粗さRz(μm)及び凹凸模様の凸部の接触面積(%)は、上記各エンボス版の種類によってそれぞれ異なる。
【０１０４】
上記(b)透明性樹脂層のマルテンス硬さの変更は、樹脂成分を変更することによって行っている。透明性樹脂層を構成する樹脂成分として、以下のPP樹脂A、及びPP樹脂Bの2種類を用意している。
・PP樹脂A： (i)ランダムPP(結晶化温度100℃)70質量部 及び (ii)オレフィン系エラストマー(結晶化温度90℃)30質量部  の樹脂
・PP樹脂B： ランダムPP(結晶化温度100℃)100質量部の樹脂
実施例7
80μm厚さの着色PBTフィルムからなる基材シートの裏面にプライマー層を設けた。次いで、基材シートのおもて面に絵柄模様層を印刷により形成し、さらに当該絵柄模様層上に接着剤層を形成した。当該接着剤層の上に80μm厚さの透明ポリプロピレン(PP)系樹脂（上記PP樹脂A）のシートを押出しラミネート方式で積層し、透明性樹脂層を形成した。当該透明性樹脂層側を赤外線非接触方式のヒーターで加熱することにより基材シート及び透明性樹脂層を柔らかくした後、直ちに熱圧によるエンボス加工を行うことで木目模様の凹凸模様（木目4）を形成した。透明性樹脂層の表面にコロナ放電処理を施した後、前記透明性樹脂層の上に、2液硬化型ウレタン樹脂を塗工することにより、プライマー層を形成した。
【０１０５】
プライマー層のおもて面に、ウレタンアクリレート系紫外線硬化型樹脂(UV樹脂)を、硬化後の厚さ（層厚）が10μmとなるようにグラビアコート方式で塗工した後、次いで80W/cmのオゾンレス型紫外線ランプを2灯設置した照明装置にて紫外線照射をして前記紫外線硬化型樹脂を硬化させることで表面保護層を形成した。これにより、化粧シートを作製した。
【０１０６】
なお、実施例7の化粧シートにおける凹凸模様の任意の3点の十点平均粗さRz（測定距離：2.5cm）を測定したところ、Rz=85〜110μm(85μm、95μm、110μm)であった。また、実施例7の化粧シートにおける透明性樹脂層の断面方向の任意の3点のマルテンス硬さを測定したところ、21〜23N/mm2(21N/mm2、22N/mm2、23N/mm2)であった。また、実施例7の化粧シートにおける凹凸模様の凸部の接触面積(%)を測定したところ、30%であった。
【０１０７】
試験例1：触感評価
20代〜40代の成人男女15人が実施例及び比較例で作製した各化粧シートの表面の凹凸感を、手触りで評価した。評価基準は、以下の通りである。なお、△、○及び◎が製品として合格である。
◎：凹凸感に優れていると感じた成人男女が10人以上である。
○：凹凸感に優れていると感じた成人男女が8人又は9人である。
△：凹凸感に優れていると感じた成人男女が6人又は7人である。
×：凹凸感に優れていると感じた成人男女が5人以下である。
【０１０８】
試験例2：耐摩耗性評価（JASフローリング摩耗A試験）
JAS フローリング摩耗A試験に準じて試験を行い、試験後の各化粧シートの表面状態を目視にて評価した。評価基準は、以下の通りである。
○：絵柄模様の取られが認められない。
×：絵柄模様の取られが認められる。
【０１０９】
試験例3：耐摩耗性評価（摺動性試験）
ガーゼを用いて荷重300g/cm2で各化粧シート表面を1000往復こすり、試験後の各化粧シートの表面状態を目視にて評価した。評価基準は、以下の通りである。なお、△及び○が製品として合格である。
○：艶変化が認められない。
△：艶変化が若干認められるが、製品として問題ないレベルである。
×：明らかに艶変化が認められる。
【０１１０】
試験例4：引張強度評価
JIS K 6732(1996)の試験方法に倣ってダンベル形試験片状に打ち抜いた各化粧シートを用意し、25℃の温度環境下、引張圧縮試験機（オリエンテック株式会社製：テンシロンRTC-1250A）を用い、引張速度50mm/min、チャック間距離80mmの条件で、各化粧シートの上降伏点荷重(N)を測定した。
【０１１１】
試験例5：加工適性評価（Vカット加工適性（白化））
厚さ2.5mmの中密度繊維板(MDF)上に各化粧シートを積層することにより各化粧材を得た後、積層した面とは反対の面（木質基材が出ている面（化粧シートが貼られていない側の面）にV字状の溝を入れ、さらに当該溝を起点に化粧材を直角に折り曲げる（即ち、化粧シート面が山折りで木質基材面が谷折りとなるように化粧材を直角に折り曲げる）ことにより、化粧材中の化粧シートの白化の状態を目視にて評価した。評価基準は、以下の通りである。なお、△及び○が製品として合格である。
○：化粧シートの折り曲げた部分が白化していない。
△：化粧シートの折り曲げた部分が若干白化しているが、製品として問題ないレベルである。
×：化粧シートの折り曲げた部分が明らかに白化している。
【０１１２】
試験例6：加工適性評価（Vカット加工適性（割れ））
上記試験例5と同様にして各化粧材を得た後、上記試験例5と同様の方法によって直角に折り曲げることにより、化粧材中の化粧シートの割れの状態を目視にて評価した。評価基準は、以下の通りである。なお、△、○及び◎が製品として合格である。
◎：化粧シートの折り曲げた部分が全く割れていない。
○：化粧シートの折り曲げた部分に軽微な割れがあるが、目立たない。
△：化粧シートの折り曲げた部分に若干割れがあるが、製品として問題ないレベルである。
×：化粧シートの折り曲げた部分が明らかに割れている。
【０１１３】
試験例7：加工適性評価（ラッピング加工適性（張力によるシート伸び））
JIS K 6732(1996)の試験方法に倣ってダンベル形試験片状に打ち抜いた各化粧シートを用意し、25℃の温度環境下、引張圧縮試験機（オリエンテック株式会社製：テンシロンRTC-1250A）を用い、引張速度50mm/min、チャック間距離80mmの条件で引張試験を行った。これにより、上記各化粧シートが塑性変形する荷重を測定した。評価基準は、以下の通りである。
○：塑性変形する荷重が28N以上である。
×：塑性変形する荷重が28N未満である。
【０１１４】
試験例8：加工適性評価（ラッピング加工適性（シートの浮き））
各化粧シートの裏面に両面テープ（（株）寺岡製作所製  No.751）を貼り、12mm合板の端辺（厚さ部分、又は断面部分）を覆うようにして前記各化粧シートを貼り合わせた。評価基準は、以下の通りである。なお、△及び○が製品として合格である。
○：貼り合わせた部分のシートに浮きがない。
△：貼り合わせた部分に、軽微な浮きがある。
×：貼り合わせた部分に、明らかな浮きがある。
【０１１５】
結果を、以下の表1及び2に示す。
【０１１６】
【表１】
2015066791.tif 000003
【０１１７】
【表２】
2015066791.tif 000004
【符号の説明】
【０１１８】
1. 基材シート
2. 着色隠蔽層
3. 絵柄模様層
4. 透明性樹脂層
5. プライマー層
6. 表面保護層
7. 凹凸模様の凸部
【図１】
2015066791.tif 000005
【図２】
2015066791.tif 000006
【図３】
2015066791.tif 000007
【図４】
2015066791.tif 000008